(57)【要約】【課題】踏台が長尺の場合にも柱上作業台の設置状態の安定性を確保することができ、良好な作業や高い安全性を実現する柱上作業台を提供する。【解決手段】電柱Ｐに定置して取り付けられる取付具１と、略水平方向に突出して取付具１に装着される踏台２と、踏台２の下側と電柱Ｐとの間に斜めに設けられ、踏台２を支持する棒状の支持部材３と、踏台２の後端近傍と支持部材３の後端近傍とに取り付けられる吊りワイヤー４とを有する柱上作業台であって、内部に支持壁２４が形成されたアルミニウム製の中空部材で踏台２を構成する。好適には吊りワイヤー４の下端を掛止フック４１で支持部材３に対する取付箇所に着脱可能に取り付ける。【選択図】図１
2006124917.tif 000002
【特許請求の範囲】
【請求項１】
柱に定置して取り付けられる取付具と、柱から略水平方向に突出して取付具に装着される踏台と、踏台の下側と柱との間に斜めに設けられ、踏台を支持する支持部材とを備える柱上作業台において、内部に支持壁が形成されたアルミニウム製の中空部材で踏台を構成することを特徴とする柱上作業台。
【請求項２】
踏台から支持部材を吊り下げる吊り部材を設け、該吊り部材の下端を該支持部材に対する取付箇所に、掛止フックで着脱可能に取り付けることを特徴とする請求項１記載の柱上作業台。
【発明の詳細な説明】
【技術分野】
【０００１】
本発明は、例えば電柱上で配線作業を行う場合等に用いる柱上作業台に関する。
【背景技術】
【０００２】
電柱上で配線作業を行う場合に用いる柱上作業台として、チェーン等からなる取付具を電柱に取り付け、木製の踏台を略水平に突出させて取付具に装着し、踏台の下側と電柱との間に踏台を支持する支持部材を斜めに設けるものが知られている（特許文献１、図６参照）。
【０００３】
【特許文献１】実用新案登録第２５１２３８１号公報
【発明の開示】
【発明が解決しようとする課題】
【０００４】
ところで、電柱上の配線作業で作業範囲が広い場合には長尺の踏台が必要となるが、従来の踏台を長尺とすると重量が非常に重くなり、柱上作業台の設置状態の安定性が損なわれ、作業や安全性に支障をきたしてしまう。そのため、踏台が長尺でも柱上作業台の設置状態の安定性を確保することができる柱上作業台が求められている。
【０００５】
本発明は上記課題に鑑み提案するものであって、踏台が長尺の場合にも柱上作業台の設置状態の安定性を確保することができ、良好な作業や高い安全性を実現する柱上作業台を提供することを目的とする。
【課題を解決するための手段】
【０００６】
本発明の柱上作業台は、柱に定置して取り付けられる取付具と、柱から略水平方向に突出して取付具に装着される踏台と、踏台の下側と柱との間に斜めに設けられ、踏台を支持する支持部材とを備える柱上作業台において、内部に支持壁が形成されたアルミニウム製の中空部材で踏台を構成することを特徴とする。また、本発明の柱上作業台は、踏台から支持部材を吊り下げる吊り部材を設け、該吊り部材の下端を該支持部材に対する取付箇所に、掛止フックで着脱可能に取り付けることを特徴とする。
【０００７】
尚、本発明の柱上作業台は、電柱以外の柱上での作業にも用いることが可能である。また、吊り部材は、例えば吊りワイヤーや吊りバンド等を適宜用いることができ、例えば踏台の後端近傍と支持部材の後端近傍とに取り付ける構成等とすることが可能である。
【発明の効果】
【０００８】
本発明の柱上作業台は、軽量で且つ高強度、高剛性の踏台を有するものであるから、踏台が長尺の場合にも柱上作業台の設置状態の安定性を確保することができる。従って、例えば電柱上で配線作業を行う場合等に、良好な作業性や高い安全性を実現することができる。
【０００９】
また、吊り部材の掛止フックを支持部材に対する取付箇所に着脱可能とすることで、柱上作業台を設置する際に掛止フックを外し、支持部材や吊り部材が布設電線に接触することを防止することができ、柱上作業台をスムーズに設置することが可能となる。
【発明を実施するための最良の形態】
【００１０】
本発明の柱上作業台の実施形態について図１〜図３に基づき説明する。
【００１１】
本実施形態の柱上作業台は、図１及び図２に示すように、電柱Ｐに定置して取り付けられる取付具１と、電柱Ｐから略水平方向に突出して設けられる踏台２と、踏台２の前部の下側と電柱Ｐとの間に斜めに設けられる棒状の支持部材３と、踏台２の後端と支持部材３の後端との間に吊設される吊りワイヤー４とを備える。
【００１２】
取付具１は、電柱Ｐの周面に当接して配置される取付金具１１と、取付金具１１の一端にキャップ１２１が軸支され、キャップ１２１内に締付ボルト１２２が螺合されている締付具１２と、一端を締付ボルト１２２に固着され、且つ所定箇所を取付金具１１の他端に着脱可能に固定されるチェーン１３とを有する。
【００１３】
踏台２は、図３に示すように、アルミニウム製の略板状の中空部材で、上板２１と、下板２２と、上板２１と下板２２の両側に立設する側壁２３と、上板２１と下板２２との間に所定間隔で複数設けられ、長手方向へ延びる支持壁２４とで形成され、側壁２３と支持壁２４との間、及び支持壁２４・２４との間に、長手方向へ延びる複数の中空部２５を有する。踏台２の一端には、連結金具２６の側面視コ字形の箇所が嵌合され、連結金具２６が締着されている。踏台２の中空部材は、例えば押出成形して形成される。
【００１４】
支持部材３の一端は踏台２の前部下側に軸支して取り付けられていると共に、その他端は当接板３１に固着され、当接板３１が電柱Ｐの周面に押し当てられ当接するようになっている。また、吊りワイヤー４の一端は連結金具２６に取り付けられていると共に、その他端には掛止フック４１が装着されており、掛止フック４１は、当接板３１の上部に設けられた紐状の掛止部３２に掛けられ着脱自在に取り付けられる。尚、支持部材３と吊りワイヤー４は幅方向に並んでそれぞれ一対設けられており、一対の支持部材３・３は略中間位置の連結棒３３で連結されている。
【００１５】
上記柱上作業台を使用する際には、電柱Ｐに取付金具１１を当接して配置し、チェーン１３を電柱Ｐに巻いて取付金具１１の他端にピン止め等で固定し、締付ボルト１２２を螺入して取付金具１１・締付具１２・チェーン１３で構成される径を窄め、取付具１を電柱９に締め付け固定して設置する。次いで、吊りワイヤー４で支持部材３が斜めに吊られた状態の踏台２を用い、踏台２の連結金具２６を取付金具１１に締着し、踏台２を略水平方向へ突出して設けると共に、支持部材３の他端の当接板３１を電柱Ｐの周面に押し当てて当接し、柱上作業台の設置が完了する。そして、柱上作業台の上に作業者が立ち、例えば電柱際の結線作業等を行う。
【００１６】
本実施形態の柱上作業台は、軽量且つ高剛性のアルミニウム製で、内部に形成した支持壁で補強した中空部材を踏台２とすることにより、踏台２の軽量化且つ高強度化、高剛性化を図ることができ、例えば踏台が長尺の場合にも柱上作業台の設置状態の安定性を確保することができる。従って、電柱Ｐ上で配線作業を行う場合等に、良好な作業性や高い安全性を実現することができる。
【００１７】
更に、柱上作業台を電柱Ｐに設置する際に、電柱際に多く布設されている電線Ｗの位置によっては、支持部材３を吊りワイヤー４で吊った状態で踏台２を取り付けると、支持部材３や吊りワイヤー４が電線Ｗに接触してしまうが、上記実施形態の柱上作業台では、吊りワイヤー４の端部の掛止フック４１を掛止部３２から一旦外し、その状態で踏台２を取付具１に取り付け、その後に、掛止フック４１を掛止部３２に掛けて取り付けることで、電線Ｗを踏台２、支持部材３、吊りワイヤー４とで構成されるトラス間に通すことができる。即ち、吊りワイヤー４の掛止フック４１を着脱可能とすることで、布設電線Ｗが柱上作業台の設置作業の支障となることを防止できる。
【産業上の利用可能性】
【００１８】
本発明の柱上作業台は、例えば電柱上で配線作業を行う場合等に利用することができる。
【図面の簡単な説明】
【００１９】
【図１】電柱に設置した実施形態の柱上作業台の平面図。
【図２】電柱に設置した実施形態の柱上作業台の側面図。
【図３】実施形態の柱上作業台における踏台を示す断面斜視図。
【符号の説明】
【００２０】
１  取付具
１１  取付金具
１２  締付具
２  踏台
２３  側壁
２４  支持壁
２５  中空部
３  支持部材
４  吊りワイヤー
４１  掛止フック
Ｐ  電柱
Ｗ  電線
【図１】
2006124917.tif 000003
【図２】
2006124917.tif 000004
【図３】
2006124917.tif 000005